(57)【特許請求の範囲】
【請求項１】
分離ローラに押圧板を所定の押圧力で当接させながら該分離ローラを回転させることによって、これら分離ローラおよび押圧板間に挿入された複数の用紙を１枚単位に分離して繰り出す用紙分離給紙機構において、
前記押圧板に押圧力を付与するように、該押圧板を前記分離ローラ方向に任意の付勢力で付勢する付勢手段と、
前記付勢手段による押圧力の増減に応じて前記押圧板を用紙の繰り出し方向に進退させる移動手段と、
を有していることを特徴とする用紙分離給紙機構。
【請求項２】
前記付勢手段と前記移動手段とが一体化されていることを特徴とする請求項１記載の用紙分離給紙機構。
【請求項３】
分離ローラに押圧板を所定の押圧力で当接させながら該分離ローラを回転させることによって、これら分離ローラおよび押圧板間に挿入された複数の用紙を１枚単位に分離して繰り出す用紙分離給紙機構において、
前記用紙の幅方向にのみ移動自在であり、この幅方向の往復移動により前記押圧板の分離ローラに対する進退移動を案内すると共に、前記押圧板の前記用紙の繰り出し方向への進退移動を案内する案内部材と、
前記押圧板側に設けられ、前記案内部材で案内されることにより前記押圧板を分離ローラに向けて進退移動させて該押圧板の押圧力を増減させると共に、この押圧板の分離ローラに対する進退移動に追従して該押圧板を前記用紙の繰り出し方向に進退移動させる被案内部材と、
を有していることを特徴とする用紙分離給紙機構。
【請求項４】
前記押圧板を前記分離ローラに向けて進退移動させる高低差を有する押圧用カム溝が前記案内部材に、前記前記用紙の繰り出し方向に段差を有する移動用カム溝が前記被案内部材に、それぞれ形成されていると共に、
前記押圧用カム溝に挿入され前記案内部材の往復摺動により、前記押圧用カム溝の高低差を移動して前記押圧板の押圧力を増減させる押圧用カム軸が前記被案内部材に、前記押圧用カム溝の高低差を前記押圧用カム軸が移動する際に、前記移動用カム溝の前記段差を移動して前記押圧板を前記用紙の繰り出し方向に進退移動させる移動用カム軸が前記案内部材に、それぞれ形成されていることを特徴とする請求項３に記載の用紙分離供給機構。
【請求項５】
前記押圧板が、原稿の幅方向について垂直な断面において前記分離ローラから離隔する方向に突出したヘ字状の形状を有していることを特徴とする請求項３又は４に記載の用紙分離給紙機構。
【請求項６】
前記被案内部材が、
前記押圧用カム軸及び移動用カム溝が形成されており前記押圧板の一端部を支持する部材であって、前記押圧用カム軸が前記押圧用カム溝の高低差を移動する際に、前記分離ローラへと押し付けられた前記押圧板の他端部が前記分離ローラへと加える押圧力の大きさが変化するように前記押圧板を回転させると共に、前記移動用カム軸が前記移動用カム溝の段差を通過する際に、前記押圧板を前記用紙の繰り出し方向に進退移動させる回転体であることを特徴とする請求項５に記載の用紙分離供給機構。
【発明の詳細な説明】
【０００１】
【発明の属する技術分野】
本発明は、文字や図面など原稿画像を情報として読み取る読取機能を備えるファクシミリ装置等の事務処理機器に係わり、特に、分離ローラに押圧される押圧板の押圧力を変更可能とすることで原稿の任意枚数に対して１枚単位毎に分離して繰り出すことのできる用紙分離給紙機構に関する。
【０００２】
【従来の技術】
従来、ファクシミリ装置などの事務処理機器には、原稿に記載された文字や図面などを電話回線を介して伝達できるように原稿画像を情報として読み取る読取機能を備えている。この読取機能は、図１０に示すように、ファクシミリ装置８０のケース８１に設けられた原稿挿入ガイド８２から挿入される所定枚数の原稿を原稿排出口８３まで送り込む給紙ローラ８４，分離ローラ８５，ＬＦローラ対８６および排紙ローラ対８７を有し、ＬＦローラ対８６と排紙ローラ対８７との間に原稿画像を情報として読み取る読取部８８（読取センサ等）を備えている。また、分離ローラ８５には、原稿挿入ガイド８２から挿入される所定枚数の原稿の先端側を段々に重ねあわせる傾斜板８９が傾斜する状態で当接されており、傾斜板８９は押圧板９０により原稿とともに分離ローラ８５外周に押圧される。更に、原稿の上方に、その原稿を給紙ローラ８４に押し付けるニップピース９１を備えている。
【０００３】
ファクシミリ装置８０により原稿の画像情報を読み取るために、所定枚数の原稿を原稿挿入ガイド８２から挿入して、給紙ローラ８４の回転で分離ローラ８５と押圧板９０との間に挿入すると、所定枚数の原稿は傾斜板８９に当接して押圧板９０を押し上げて傾斜させる。所定枚数の原稿で押圧板９０が傾斜されると、この押圧板９０は所定の押圧力（バネ力）で分離ローラ８５の外周に当接されて、分離ローラ８５の回転により分離ローラ８５と押圧板９０（傾斜板８９）間に挿入された原稿のうち、分離ローラ８５に接触して追従する原稿（重ねられた最下側の原稿）が押圧板９０を押し上げて分離ローラ８５間を通過して他の原稿と分離され、ＬＦローラ対８６側に繰り出される。そして、分離ローラ８５に接触する最下側の原稿がＬＦローラ対８６側に繰り出されると、押圧板９０が所定の押圧力で分離ローラ８５に当接されるので、次に分離ローラ８５に接触して追従する原稿も同様にしてＬＦローラ対８６に繰り出され、順次この動作を繰り返すことで原稿挿入ガイド８２に挿入された所定枚数の原稿を１枚単位毎に分離してＬＦローラ対８６に繰り出す。次いで、１枚単位毎にＬＦローラ対８６側に繰り出された原稿は、ＬＦローラ対８６の回転で読取部８８（読取センサ等）を通過し、この読取部８８により原稿画像を情報として読み取られて、排出ローラ対８７の回転でケース８１の原稿排出口８３から外部に排出される。
【０００４】
【発明が解決しようとする課題】
従来の押圧板９０を用いて原稿を分離する機構では、上述のように分離ローラ８５に当接される押圧板９０の押圧力を、分離ローラ８５と押圧板９０との間に挿入される原稿の所定枚数に応じて固定設定することで、所定枚数の原稿が挿入された際に分離ローラ８５の回転で１枚単位毎に分離して、ＬＦローラ対８６、読取部８７側に繰り出すようにしているので、分離ローラ８５と押圧板９０の間に挿入される原稿が、所定枚数より少ない又は多くなると、各原稿により傾斜される押圧板９０の傾斜角を変動させることから、押圧板９０の分離ローラ８５に対する押圧力も変動されて、精度良く一枚単位毎に原稿を分離して繰り出すことができない。
【０００５】
即ち、
（１）原稿が所定枚数より多くなると、図１１（ａ）に示すように、押圧板９０の傾斜角が分離ローラ８５と平行となるように大きくなり押圧板９０と分離ローラ８５間に隙間が形成されて、押圧板９０で分離ローラ８５に接触する最下側の原稿に対する押圧力が少なくなり、分離ローラ８５で原稿を１枚単位毎に分離することが困難で、複数枚の原稿がＬＦローラ対８６や読取部８８に繰り出され、読取部８８で各原稿の原稿画像を読み取ることができず、精度良く画像処理を行うことができない。
（２）原稿が所定枚数より少なくなると、図１１（ｂ）に示すように、押圧板９０の傾斜角が分離ローラ８５と垂直となるように小さくなることから、押圧板９０で分離ローラ８５に接触する最下側の原稿に対する押圧力も大きくなり、分離ローラ８５で分離されて原稿の後端が通過する際に押圧板９０がこの末端のみを押圧して、図１１（ｂ）に示す矢印方向へのテンション（バックテンション）を発生させる。このように、原稿にテンションが発生すると、分離ローラ８５を通過した原稿は突然テンションを受けなくなることから波打つように振れて読取部８８に繰り出されるので、読取部８８においては原稿画像が振れた情報を読み取ることになり、精度良く画像処理を行うことができない。
【０００６】
本発明は、この問題を解決するためになされたもので、用紙の任意枚数に対して、確実に１枚単位毎に分離して繰り出すことのできる用紙分離給紙機構を提供することを目的とする。
【０００７】
【課題を解決するための手段】
上記問題を解決するため、本発明の用紙分離給紙機構は、
請求項１では、分離ローラに押圧板を所定の押圧力で当接させながら該分離ローラを回転させることによって、これら分離ローラおよび押圧板間に挿入された複数の用紙を１枚単位に分離して繰り出す用紙分離給紙機構において、前記押圧板に押圧力を付与するように、該押圧板を前記分離ローラ方向に任意の付勢力で付勢する付勢手段と、前記付勢手段による押圧力の増減に応じて前記押圧板を用紙の繰り出し方向に進退させる移動手段と、を有しているものである。
これにより、分離ローラに対する押圧力を任意に変更可能であるため、給紙速度および分離可能な用紙枚数の重要度に応じて押圧板の押圧力を変更することができる。即ち、用紙の繰り出し開始から終了までの全期間にわたって一定の繰り出し速度の給紙が要求される例えば高精度の読み取り、或いは印字を要する場合においては、押圧力を低減して繰り出し終了のバックテンションの発生を抑制することにより、高品質の読み取り結果、或いは高画質の印字結果を得ることができる。一方、押圧力を増大すれば、挿入する用紙枚数を増やした状態でも、１枚単位の分離を確実に行うことができる。これと共に、付勢手段により押圧板の分離ローラに対する押圧力が変更された場合でも、移動手段により押圧板と分離ローラとの当接点を一定位置とできるので、常に一定の条件で用紙を分離することができるため、押圧力の増減により分離性能が低下することがない。
【０００８】
【０００９】
請求項２では、請求項１のものに、前記付勢手段と前記移動手段とが一体化されているものである。
これにより、付勢手段と移動手段とを一体化した構造とすることによって、用紙分離給紙機構を小型化することができる。
【００１０】
請求項３は、分離ローラに押圧板を所定の押圧力で当接させながら該分離ローラを回転させることによって、これら分離ローラおよび押圧板間に挿入された複数の用紙を１枚単位に分離して繰り出す用紙分離給紙機構において、前記用紙の幅方向にのみ移動自在であり、この幅方向の往復移動により前記押圧板の分離ローラに対する進退移動を案内すると共に、前記押圧板の前記用紙の繰り出し方向への進退移動を案内する案内部材と、前記押圧板側に設けられ、前記案内部材で案内されることにより前記押圧板を分離ローラに向けて進退移動させて該押圧板の押圧力を増減させると共に、この押圧板の分離ローラに対する進退移動に追従して該押圧板を前記用紙の繰り出し方向に進退移動させる被案内部材とを有しているものである。
これにより、案合部材と被案内部材とで、押圧板の押圧力の増減と分離性の安定化を図ることができるために、部品コストを低減することができる。これと共に、案内部材及び被案内部材が押圧板を分離ローラに向けて進退移動させることにより押圧板の分離ローラに対する押圧力が変更された場合でも、これと同時に押圧板を用紙の繰り出し方向に進退移動させることにより押圧板と分離ローラとの当接点を一定位置とできるので、常に一定の条件で用紙を分離することができるため、押圧力の増減により分離性能が低下することがない。
【００１１】
請求項４では、請求項３のものに、前記押圧板を前記分離ローラに向けて進退移動させる高低差を有する押圧用カム溝が前記案内部材に、前記前記用紙の繰り出し方向に段差を有する移動用カム溝が前記被案内部材に、それぞれ形成されていると共に、前記押圧用カム溝に挿入され前記案内部材の往復摺動により、前記押圧用カム溝の高低差を移動して前記押圧板の押圧力を増減させる押圧用カム軸が前記被案内部材に、前記押圧用カム溝の高低差を前記押圧用カム軸が移動する際に、前記移動用カム溝の前記段差を移動して前記押圧板を前記用紙の繰り出し方向に進退移動させる移動用カム軸が前記案内部材に、それぞれ形成されているとしたものである。
これにより、高低差を有するカム溝と段差を有するカム溝とを案内部材及び被案内部材に形成すると共に、これに案内されるカム軸を案内部材及び被案内部材に設けるという簡単な構造で、押圧板の押圧力の増減変更と、押圧板の用紙の繰り出し方向の進退移動を行うことができる。
また、請求項５は、前記押圧板が、原稿の幅方向について垂直な断面において前記分離ローラから離隔する方向に突出したヘ字状の形状を有しているとしたものである。
また、請求項６は、前記被案内部材が、前記押圧用カム軸及び移動用カム溝が形成されており前記押圧板の一端部を支持する部材であって、前記押圧用カム軸が前記押圧用カム溝の高低差を移動する際に、前記分離ローラへと押し付けられた前記押圧板の他端部が前記分離ローラへと加える押圧力の大きさが変化するように前記押圧板を回転させると共に、前記移動用カム軸が前記移動用カム溝の段差を通過する際に、前記押圧板を前記用紙の繰り出し方向に進退移動させる回転体であるとしたものである。
【００１２】
【発明の実施の形態】
以下、本発明の実施形態における用紙分離給紙機構について、図１ないし図９を参照して説明する。
【００１３】
図１ないし図９において、本発明の実施形態における用紙分離給紙機構１をファクシミリ装置２（事務処理装置）に適用したものについて説明する。
【００１４】
図１において、ファクシミリ装置２は、下側の収納体３とこの収納体３に開閉自在に設けられた原稿用カバー４およびパネルカバー５とで構成されるケース６を有している。原稿用カバー４には文字や図面等の情報が記載された原稿を多数枚支持可能な原稿挿入ガイド７と、原稿の画像情報を印字される多数枚の用紙を収容可能な用紙収容装置８とが備えられている。パネルカバー５には電話番号の入力キー等を備えた操作パネル９が設けられていると共に、原稿挿入ガイド７から挿入される原稿を排出する原稿排出口１０が設けられている。
【００１５】
図２および図３において、ファクシミリ装置２のケース６内には、原稿の文字や図面などを電話回線を介して伝達できるように原稿画像を情報として読み取る読取機能１５の他に、情報を音声信号として電話回線を介して送受信する送受信機能と情報を基にして元の原稿画像を印字する印字機能（図示しない）とを備えている。ケース３内に備えられた読取機能１５は、原稿挿入ガイド７とパネルカバー５とで形成される原稿通路１６に沿って、この原稿挿入ガイド７側から順に給紙ローラ１７，分離ローラ１８，ＬＦローラ対１９，原稿に記載された文字や図面などの原稿画像を情報として読み取る読取部２０，排紙ローラ対２１とを備えている。読取部２０は、原稿に光を投射する読取センサ２２と原稿で反射される光を制御部（図示しない）に導く複数の反射ミラー２３とからなり、読取部２０は読取センサ２２から原稿に投射され原稿画像で反射される光を各反射ミラー２３で制御部に入力することで原稿画像を情報とするもので、この原稿画像の情報を図示しない送受信機能により電話回線を介して送受信し、又は原稿画像を印字機能により用紙等により印字する。そして、分離ローラ１８の近傍には、原稿挿入ガイド７から挿入される任意枚数の原稿を一枚単位毎に分離して、ＬＦローラ対１９，読取部２０側に繰り出す用紙分離給紙機構１が設けられている。
【００１６】
図４ないし図６において、用紙分離給紙機構１の具体的な構造について説明する。
【００１７】
図４ないし図６において、用紙分離給紙機構１は、シリコン等からなる傾斜板３０と押圧板３１とを分離ローラ１８に押圧する押圧力変更手段３２を有し、押圧力変更手段３２は分離ローラ１８に対する傾斜板３０と押圧板３１の押圧力を任意の力に変更可能にするものである。傾斜板３０は、原稿の繰り出し方向Ｘ（ＬＦローラ１９側）から傾斜する状態で分離ローラ１８の外周に当接させており、分離ローラ１８に向けて回転自在にケース６に軸支された回転体３３に片持ち支持されている。押圧板３１は傾斜板３０の上方に当接されるへ字状の第１押圧板部３１Ａと、給紙ローラ１７から送り出された原稿に当接される２つの第２押圧板部３１Ｂとを有している。第２押圧板部３１Ｂは、第１押圧板部３１Ａの原稿の幅方向Ｙの両側に設けられており、各押圧板部３１Ａ，３１Ｂは回転体３３と傾斜板３０とで挟まれて回転体３３に片持ち支持されている。そして、押圧板３１の各押圧板部３１Ａ，３１Ｂと傾斜板３０とは、回転体３３の軸部３３Ａを中心とする回転により分離ローラ１８の外周に対して当接、又は離間される。また、原稿の上方には、その多数枚の原稿を給紙ローラ１７に押し付けるニップピース３８がケース３に回転自在に設けられている。
【００１８】
次に、押圧力変更手段３２は、押圧板３１（各押圧板部３１Ａ，３１Ｂ）を分離ローラ１８に任意の押圧力で付勢する付勢手段を備えている。付勢手段は、図５および図６に示すように、挿入される原稿の幅方向Ｙに摺動自在にされた案内部材３４であって、案内部材３４には原稿の幅方向Ｙに延びる押圧用カム溝３５が形成されている。押圧用カム溝３５は、図６（ａ）および図６（ｂ）に示すように、回転体３３に対向する当接面３４Ａに開口し傾斜面３５Ａを有して案内部材３４に高低差Ｈを有するように形成されており、図５に示すように、ケース６に回転自在に軸支された押圧力変更レバー３６に一端側が連結されている。また、案内部材３４には、図６（ａ）および図６（ｂ）に示すように、当接面３４Ａ，押圧用カム溝３５の傾斜面３５Ａおよび底面３５Ｂを摺動するように押圧用カム軸３７が当接している。押圧用カム軸３７は回転体３３に設けられており、案内部材３４の原稿の幅方向Ｙへの摺動により当接面３４Ａから押圧用カム溝３５の傾斜面３５Ａおよび底面３５Ｂの順に沿って、又はその逆に当接しつつ案内されて相対移動される。
【００１９】
この構成によれば、押圧力変更レバー３６の回転により案内部材３４を原稿の幅方向Ｙの一方向に摺動させることで、図６（ａ）に示す低位置である押圧用カム溝３５の底面３５Ｂに当接して案内されるカム軸３７が傾斜面３５Ａを乗り越えて高位置の案内部材３４の当接面３４Ａに至るように相対移動されることから、図６（ｂ）に示すように、回転体３３が分離ローラ１８側に下降するように回転して傾斜板３０、押圧板３１（各押圧板部３１Ａ，３１Ｂ）の押圧力を増加させるように分離ローラ１８の外周に押圧できる。また、押圧力変更レバー３６を上記とは逆回転させることで、図６（ｂ）に示す高位置である当接面３４Ａに当接する押圧用カム軸３７が傾斜面３５Ａを下って押圧用カム溝３５で案内されながら低位置の底面３５Ｂに至るように相対移動することから、図６（ａ）に示すように、回転体３３が分離ローラ１８側から離れるように上昇回転して傾斜板３０、押圧板３１（各押圧板部３１Ａ，３１Ｂ）の押圧力を減少させるように分離ローラ１８の外周に押圧できる。
【００２０】
そして、ファクシミリ装置２により原稿の画像情報を読み取るために、先ず、押圧力変更レバー３６を回転することで、各押圧板部３１Ａ，３１Ｂの押圧力を、原稿枚数に応じて一枚単位毎に原稿を分離して読取部２０に繰り出させる力に変更する。詳細には、原稿の枚数が少ないときには、押圧力変更レバー３６の回転により、図６（ａ）に示すように、案内部材３４と押圧用ガイド軸３７とを相対移動させて押圧用ガイド溝３５の底面３５Ａ（低位置）に押圧用カム軸３７を当接させることで、回転体３３を分離ローラ１８から退避するように上昇回転させて押圧板３１（各押圧板部３１Ａ，３１Ｂ）の押圧力を減少させる。また、原稿の枚数が多いときには、押圧力変更レバー３６の上記とは逆の回転により、図６（ｂ）に示すように、案内部材３４と押圧用カム軸３７とを相対移動させて当接面３４Ａ（高位置）に押圧用カム軸３７を当接させることで、回転体３３を分離ローラ１８に進出するように下降回転して押圧板３１（各押圧板部３１Ａ，３１Ｂ）の押圧力を増加させる。
【００２１】
そして、各押圧板部３１Ａ，３１Ｂの押圧力を変更した後に、この押圧力に応じた枚数の原稿を図２に示す原稿挿入ガイド７から挿入して、給紙ローラ１７の回転で分離ローラ１８と傾斜板３０（押圧板３１）の間に挿入すると、これらの原稿は、傾斜板３０および押圧板３１に当接して各押圧板部３１Ａ，３１Ｂを繰り出し方向Ｘ側に押し上げて傾斜させる。このとき、押圧板３１は分離ローラ１８に対して原稿の枚数毎に変更される押圧力に応じて、一枚単位毎に原稿を分離して繰り出しができるように傾斜される。
【００２２】
各原稿で押圧板３１が傾斜されると、各押圧板部３１Ａ，３１Ｂは、原稿の枚数に応じた押圧力（バネ力）で分離ローラ１８の外周に当接されて、分離ローラ１８の回転により分離ローラ１８との間に挿入される各原稿のうち、分離ローラ１８に接触して追従する最下側の原稿が傾斜体３０（押圧板３１）を押し上げ、各押圧板部３１Ａ，３１Ｂで押し付けられる状態で分離ローラ１８間を通過して他の原稿と分離され、ＬＦローラ対１９側に繰り出される。そして、最下側の原稿がＬＦローラ対１９側に繰り出されると、各押圧板部３１Ａ，３１Ｂが押圧力で分離ローラ１８又は原稿に当接されるので、次に分離ローラ１８に接触して追従する最下側の原稿も同様にしてＬＦローラ対１９に繰り出され、順次この動作を繰り返すことで原稿挿入ガイド７に挿入された任意枚数の原稿を１枚単位毎に分離してＬＦローラ対１９，読取部２０に繰り出す。次いで、１枚単位毎にＬＦローラ対１９側に繰り出された原稿は、ＬＦローラ対１９の回転で読取部２０（読取センサ２２，各反射ミラー２３等）を通過し、この読取部２０により原稿画像を情報として読み取られて、排出ローラ対２１の回転で原稿排出口９から外部に排出される。
【００２３】
このように、本実施形態における用紙分離給紙機構１によれば、分離ローラ１８に対する各押圧板部３１Ａ，３１Ｂの押圧力を任意の力に変更可能としたので、給紙速度および分離可能な原稿枚数の重要度に応じて各押圧板部３１Ａ，３１Ｂの押圧力を変更して、原稿枚数の多少に関係することなく、又分離ローラ１８を通過する際に原稿にテンションを発生させることなく、確実に一枚単位毎に読取部２０に原稿を繰り出すことができるので、読取部２０で高質の画像情報を得ることが可能となる。また、各押圧板部３１Ａ，３１Ｂの押圧力を増加すると、原稿を増やした状態でも、一枚単位毎の分離を確実に行なって読取部２０に繰り出すことができる。
【００２４】
次に、本実施形態の用紙分離給紙機構１の変形例について、図７ないし図９に基づいて説明する。尚、図７ないし図９において、図１ないし図６で示したと同一の符号は同一の部材を示すので、その説明は省略する。
【００２５】
図７および図８に示す用紙分離給紙機構１は、押圧板３１の押圧力を任意の力に変更する案内部材３４の他に、押圧板３１を原稿の繰り出し方向Ｘに進退移動させる移動手段５０を備えるものである。
【００２６】
図７および図８において、用紙分離給紙機構１の移動手段５０は、回転体３３に形成された２本の移動用カム溝５１を有している。移動用カム溝５１は原稿の幅方向Ｙに延びる前後の平行溝部５１Ａ，５１Ｂを傾斜溝部５１Ｃで接続することで原稿の繰り出し方向Ｘに段差ｈを有するＺ字状の溝とされており、案内部材３４の当接面３４Ａに対向する回転体３３（被案内部材）の上面３３Ａに開口して形成されている。また、各移動用カム溝５１には、各平行溝部５１Ａ，５１Ｂと傾斜溝部５１Ｃとを摺動する移動用カム軸５２がそれぞれ挿入されている。各移動用カム軸５２は、案内部材３４の当接面３４Ａに設けられており、図８（ｂ）に示すように、移動用カム軸３７が案内部材３４の当接面３４Ａに当接する状態において、各移動用カム溝５１の前側の平行溝部５１Ａ内に位置している（図７に示す）。また、各移動用カム軸５２は、原稿の幅方向Ｙから押圧用カム溝３５を間に介在させるように案内部材３４の当接面３４Ａから突出している。また、回転体３３の回転軸３３Ａは、原稿の繰り出し方向Ｘに摺動自在としてケース６に軸支されている。
【００２７】
これにより、押圧力変更レバー３６を回転させて、案内部材３４を原稿の幅方向Ｙに往復摺動させることで、上記図１ないし図６で示した用紙分離給紙機構１と同様に押圧用カム溝３５とカム軸３７との相対移動で、カム軸３７がカム溝３５で案内されながら傾斜面３５Ａを乗り越え又は下ることにより押圧板３１（各板バネ部３１Ａ，３１Ｂ）の押圧力を増加又は減少させることができ、原稿の任意枚数に対して一枚単位毎に読取部２０に繰り出すことができる。このとき、各押圧板部３１Ａ，３１Ｂの押圧力を減少させるように案内部材３４を摺動すると、図８（ａ）に示すように、前側の平行溝部５１Ａに位置する移動用ガイド軸５２が案内されながら傾斜溝部５１Ｃから後側の平行溝部５１Ｂに至るように相対移動することから、回転体３３が原稿の繰り出し方向Ｘに分離ローラ１８に接近するように移動して各押圧板部３１Ａ，３１Ｂを進出させ、又各押圧板部３１Ａ，３１Ｂの押圧力を増加させるように案内部材３４を摺動すると、図８（ｂ）に示すように、後側の平行溝部５１Ｂに位置する移動用ガイド軸５２が案内されながら傾斜溝部５１Ｃから前側の平行溝部５１Ａに至るように相対移動することから、回転体３３が原稿の繰り出し方向Ｘに分離ローラ１８から離間するように移動して各押圧板部３１Ａ，３１Ｂを退避させることができる。
【００２８】
このように、図７および図８に示す用紙分離給紙機構１では、各押圧板部３１Ａ，３１Ｂの押圧力の増減に応じて各押圧板部３１Ａ，３１Ｂを分離ローラ１８に対して進退させるので、図９に示すように、押圧力により生じる各押圧板部３１Ａ，３１Ｂの撓み量ωを各押圧板部３１Ａ，３１Ｂの進退により吸収でき、各押圧部材３１Ａ，３１Ｂに対する押圧力に関係なく、常に、分離ローラ１８又は原稿に対する各押圧板部３１Ａ，３１Ｂの当接点Ｓを一定位置にできるので、各押圧板部３１Ａ，３１Ｂと分離ローラ１８の間を通過して分離される原稿に対する押圧力の条件を一定にして原稿を一枚単位毎に分離することができる。したがって、各押圧板部３１Ａ，３１Ｂの押圧力の増減変更により原稿の分離性が低下することがない。
【００２９】
【００３０】
【００３１】
【００３２】
尚、本実施形態における用紙分離給紙機構１におけるカム溝３５や両用カム溝６１の高低差Ｈは、変更される各押圧板部３１Ａ，３１Ｂの押圧力により適宜変更されるものであり、又カム溝５１や両用カム溝６０の段差ｈも各押圧板部３１Ａ，３１Ｂの押圧力による撓み量を考慮して、常に一定の当接点で分離ローラ１８に押圧されるように適宜変更されるものである。
【００３３】
また、本実施形態の用紙分離給紙機構１は、ファクシミリ装置２の読取部２０で原稿を一枚単位毎に分離するものに適用したものを示したが、これに限定されるものでなく、ファクシミリ装置の印字機能で原稿画像の情報が印字される用紙を一枚単位毎に分離するものや、ファクシミリ装置以外の例えば、コピー装置等の事務処理機器で用紙を一枚単位毎に分離するものに適用してもよい。
【００３４】
【発明の効果】
本発明の用紙分離給紙構造によれば、
請求項１では、押圧板の分離ローラに対する押圧力を任意に変更可能としたので、給紙速度および分離可能な用紙枚数の重要度に応じて押圧板の押圧力を変更することができる。即ち、用紙の繰り出し開始から終了までの全期間にわたって一定の繰り出し速度の給紙が要求される例えば高精度の読み取り或いは印字を要する場合においては、押圧力を低減して繰り出し終了のバックテンションの発生を抑制することにより、高品質の読み取り結果或いは高画質の印字結果を得ることができる。一方、押圧力を増大すれば、挿入する用紙枚数を増やした状態でも、１枚単位の分離を確実に行うことができる。これと共に、付勢手段により押圧板の分離ローラに対する押圧力が変更された場合でも、移動手段により押圧板と分離ローラとの当接点を一定位置とできるので、常に一定の条件で用紙を分離することができるため、押圧力の増減により分離性能が低下することがない。
【００３５】
【００３６】
請求項２では、請求項１の効果に加えて、付勢手段と移動手段とが一体化されているので、これらを一体化した構造とすることによって、用紙分離給紙機構を小型化することができる。
【００３７】
請求項３では、被案内部材の分離ローラに対する進退移動と、用紙の繰り出し方向への進退移動とを案合部材で案内するようにしたので、これら案内部材と被案内部材とで、押圧板の押圧力の増減と分離性の安定化を図ることができるために、部品コストを低減することができる。これと共に、案内部材及び被案内部材が押圧板を分離ローラに向けて進退移動させることにより押圧板の分離ローラに対する押圧力が変更された場合でも、これと同時に押圧板を用紙の繰り出し方向に進退移動させることにより押圧板と分離ローラとの当接点を一定位置とできるので、常に一定の条件で用紙を分離することができるため、押圧力の増減により分離性能が低下することがない。
【００３８】
請求項４では、請求項３の効果に加えて、高低差を有するカム溝と段差を有するカム溝とを案内部材に形成すると共に、これに案内されるカム軸を案内部材及び被案内部材に設けるという簡単な構造で、押圧板の押圧力の増減変更と、押圧板の用紙の繰り出し方向の進退移動を行うことができる。
【図面の簡単な説明】
【図１】  本発明における用紙分離給紙機構が適用されるファクシミリ装置の斜視図である。
【図２】  本発明における用紙分離給紙機構が適用されるファクシミリ装置の一部断面図である。
【図３】  用紙分離給紙機構が配置される読取機構の構成を示す側面図である。
【図４】  用紙分離給紙機構の具体的構成を示す側面図である。
【図５】  図４のＡ−Ａ矢視図である。
【図６】  図５のＢ−Ｂ断面図であって、（ａ）は押圧板の押圧力を減少させる作動を説明する断面図、（ｂ）は押圧板の押圧力を増加させる作動を説明する断面図である。
【図７】  用紙分離給紙機構の変形例を示す、図４のＡ−Ａ矢視図である。
【図８】  図７のＣ−Ｃ断面図であって、（ａ）は押圧板の押圧力を減少させて分離ローラから退避させる作動を説明する断面図、（ｂ）は押圧力の押圧力を増加させて分離ローラに進出させる作動を説明する断面図である。
【図９】  変形例の用紙分離給紙機構の作動を説明するための拡大図である。
【図１０】  従来における原稿を分離する構造を示す拡大図である。
【図１１】  従来における所定枚数の原稿を分離する問題を説明するための図であって、（ａ）は原稿枚数が多い時の問題を説明するための拡大図、（ｂ）は原稿枚数が少ない時の問題を説明する拡大図である。
【符号の説明】
１  用紙分離給紙機構
２  ファクシミリ装置
１８  分離ローラ
３１  押圧板
３１Ａ，３１Ｂ  押圧板部
３２  押圧力変更手段
３４  案内部材
３５  押圧用カム溝
３６  押圧力変更レバー
３７  押圧用カム軸
５０  移動手段
５１  移動用カム溝
５２  移動用カム軸
６１  両用カム溝
【図１】
0003817829.tif 000002
【図２】
0003817829.tif 000003
【図３】
0003817829.tif 000004
【図４】
0003817829.tif 000005
【図５】
0003817829.tif 000006
【図６】
0003817829.tif 000007
【図７】
0003817829.tif 000008
【図８】
0003817829.tif 000009
【図９】
0003817829.tif 000010
【図１０】
0003817829.tif 000011
【図１１】
0003817829.tif 000012